(57)【要約】【課題】正規なユーザか第三者かに応じて秘匿情報の出力を制限したとしても、秘匿情報が存在していることすら第三者に分からないような状態で情報を出力できるようにする。【解決手段】ＣＰＵ１は、アドレス帳・スケジュール帳・メールフォルダ・発信履歴・着信履歴などの各管理機能に対応して、記憶部２内にその実情報が秘匿情報として記憶管理されていると共にそのダミー情報が記憶管理されている状態において、指紋センサＦＳ付きの電源ボタンＰＷが操作されることによって電源ＯＮ操作時に検出された操作者の指紋パターンと予め登録されている指紋パターンとを比較することによって正規なユーザ（本人）か否かを判別し、ユーザ本人であれば、当該処理機能対応の実情報を表示出力させ、第三者であれば、当該処理機能に対応付けられているダミー情報を表示出力させる。【選択図】  図１
2007179343.tif 000002
【特許請求の範囲】
【請求項１】
秘匿情報の出力を制限するセキュリティ機能付き情報処理装置であって、
所定の処理機能に対応してその実情報を秘匿情報として記憶管理すると共にそのダミー情報を記憶管理する情報記憶手段と、
入力されたユーザ情報と予め登録されているユーザ情報とを比較することによって正規なユーザか否かを判別する判別手段と、
前記処理機能が選択された場合に、前記判別結果を参照し、正規なユーザであれば、当該処理機能対応の実情報を出力させ、正規ユーザ以外の第三者であれば、当該処理機能対応のダミー情報を出力させる出力制御手段と、
を具備したことを特徴とするセキュリティ機能付き情報処理装置。
【請求項２】
前記出力制御手段は、前記実情報あるいはダミー情報を表示出力させる際に、同一あるいは類似の表示形態で出力する、
ようにしたことを特徴とする請求項1記載のセキュリティ機能付き情報処理装置。
【請求項３】
前記処理機能の選択に応答して前記ダミー情報が出力されている状態において、この処理機能の動作に応じて当該ダミー情報を処理する、
ようにしたことを特徴とする請求項1記載のセキュリティ機能付き情報処理装置。
【請求項４】
前記ダミー情報は、正規なユーザによって任意に入力作成された情報、予め固定的に用意されていた標準的な情報、ランダム生成された情報、前記実情報を加工することによって生成された情報、更新以前の実情報のうち、少なくともその何れかの情報である、ことを特徴とする請求項1記載のセキュリティ機能付き情報処理装置。
【請求項５】
前記所定の処理機能は、電話帳情報、スケジュール情報、データフォルダ情報、発信履歴情報、着信履歴情報のうち、少なくともその何れかの情報を管理するデータ管理機能である、ことを特徴とする請求項1記載のセキュリティ機能付き情報処理装置。
【請求項６】
前記判別手段によって正規なユーザであると判別された場合に、そのことをどのような方法で報知するかを示す報知方法を任意に設定可能とした、ことを特徴とする請求項1記載のセキュリティ機能付き情報処理装置。
【請求項７】
前記入力されたユーザ情報は、入力電源オン操作時あるいは所定時間毎に自動検出された生体情報である、ことを特徴とする請求項1記載のセキュリティ機能付き情報処理装置。
【請求項８】
コンピュータに対して、
所定の処理機能に対応してその実情報を秘匿情報として記憶管理すると共にそのダミー情報を記憶管理する機能と、
入力されたユーザ情報と予め登録されているユーザ情報とを比較することによって正規なユーザか否かを判別する機能と、
前記処理機能が選択された場合に、前記判別結果を参照し、正規なユーザであれば、当該処理機能対応の実情報を出力し、正規ユーザ以外の第三者であれば、当該処理機能対応のダミー情報を出力する機能と、
を実現させるためのプログラム。
【発明の詳細な説明】
【技術分野】
【０００１】
この発明は、秘匿情報の出力を制限するセキュリティ機能付き情報処理装置及びプログラムに関する。
【背景技術】
【０００２】
従来、パスワード入力、指紋検知などによってユーザ認証を行い、その認証結果に応じて情報表示を制限するセキュリティ機能付きの情報処理装置としては、例えば、指紋照合の結果、指紋不一致時にはシークレット情報を非表示とする通常モードで起動し、指紋一致時にはシークレット情報を含めた全情報を表示するシークレットモードで起動するようにした電子機器が知られている（特許文献１参照）。
【特許文献１】特開平７−１０５１４２号公報
【発明の開示】
【発明が解決しようとする課題】
【０００３】
このようなセキュリティ機能を備えることで、シークレットエリア内のデータを不正アクセスから保護することができるが、不正者はシークレットエリア内のデータを見ることができないことから、アクセス制限がかかっていて自分が排除（拒絶）されていることを知り得るようになる。この場合、例えば、ハッカーなどと呼ばれているコンピュータ技術に詳しい人であれば、その技術を駆使してセキュリティを破ることは決して不可能なことではなく、不正者にアクセス制限が知られた時点でそのデータは危険にさらされることになり、如何なるセキュリティ技術であっても万全とは言い難かった。
【０００４】
この発明の課題は、正規なユーザか第三者かに応じて秘匿情報の出力を制限したとしても、秘匿情報が存在していることすら第三者に分からないような状態で情報を出力できるようにすることである。
【課題を解決するための手段】
【０００５】
請求項１記載の発明は、秘匿情報の出力を制限するセキュリティ機能付き情報処理装置であって、所定の処理機能に対応してその実情報を秘匿情報として記憶管理すると共にそのダミー情報を記憶管理する情報記憶手段と、入力されたユーザ情報と予め登録されているユーザ情報とを比較することによって正規なユーザか否かを判別する判別手段と、前記処理機能が選択された場合に、前記判別結果を参照し、正規なユーザであれば、当該処理機能対応の実情報を出力させ、正規ユーザ以外の第三者であれば、当該処理機能対応のダミー情報を出力させる出力制御手段とを具備したことを特徴とする。
更に、コンピュータに対して、上述した請求項１記載の発明に示した主要機能を実現させるためのプログラムを提供する（請求項８記載の発明）。
ここで、「ダミー情報」とは、第三者（不正アクセス者）を欺くために実情報の身代わりとなる情報であり、架空の情報以外にも実情報の更新前の情報（デフォルト値など）であってもよく、実情報を推測不能なものであればよい（以下、同様）。
【０００６】
なお、上述した請求項１記載の発明は次のようなものであってもよい。
前記出力制御手段は、前記実情報あるいはダミー情報を表示出力させる際に、同一あるいは類似の表示形態で出力する（請求項２記載の発明）。
【０００７】
前記処理機能の選択に応答して前記ダミー情報が出力されている状態において、この処理機能の動作に応じて当該ダミー情報を処理する（請求項３記載の発明）。
【０００８】
前記ダミー情報は、正規なユーザによって任意に入力作成された情報、予め固定的に用意されていた標準的な情報、ランダム生成された情報、前記実情報を加工することによって生成された情報、更新以前の実情報のうち、少なくともその何れかの情報である（請求項４記載の発明）。
【０００９】
前記所定の処理機能は、電話帳情報、スケジュール情報、データフォルダ情報、発信履歴情報、着信履歴情報のうち、少なくともその何れかの情報を管理するデータ管理機能である（請求項５記載の発明）。
【００１０】
前記判別手段によって正規なユーザであると判別された場合に、そのことをどのような方法で報知するかを示す報知方法を任意に設定可能とする（請求項６記載の発明）。
【００１１】
前記入力されたユーザ情報は、入力電源オン操作時あるいは所定時間毎に自動検出された生体情報である（請求項７記載の発明）。
【発明の効果】
【００１２】
請求項１記載の発明によれば、所定の処理機能に対応してその実情報を秘匿情報として記憶管理すると共にそのダミー情報を記憶管理している状態において、入力されたユーザ情報と予め登録されているユーザ情報とを比較することによって正規なユーザか否かを判別し、正規なユーザであれば、当該処理機能対応の実情報を出力させ、正規ユーザ以外の第三者であれば、当該処理機能対応のダミー情報を出力させるようにしたから、正規なユーザか第三者かに応じて秘匿情報の出力を制限したとしても、秘匿情報が存在していることすら第三者に分からないような状態で情報を出力することができ、逆説的に不正者を欺くことによって不正アクセス者によるセキュリティ破りを未然に防止することが可能となる。
【００１３】
請求項２記載の発明によれば、上述した請求項１記載の発明と同様の効果を有するほか、実情報あるいはダミー情報を表示出力させる際に、同一あるいは類似の表示形態で出力するようにしたから、実情報とダミー情報との区別がつかないように表示させることができ、安全性を高めることが可能となる。この場合、実情報が複数桁の数値列データあるいは文字列データであれば、ダミー情報も同一桁の数値列あるいは文字列データを使用したり、同一フォームを使用して表示するようにすればよい。
【００１４】
請求項３記載の発明によれば、上述した請求項１記載の発明と同様の効果を有するほか、処理機能の選択に応答してダミー情報が出力されている状態において、この処理機能の動作に応じて当該ダミー情報を処理するようにしたから、処理の実行中、実行後であっても安全性を高めることが可能となる。
【００１５】
請求項４記載の発明によれば、上述した請求項  記載の発明と同様の効果を有するほか、ダミー情報は、正規なユーザによって任意に入力作成された情報、予め固定的に用意されていた標準的な情報、ランダム生成された情報、実情報を加工することによって生成された情報、更新以前の実情報のうち、少なくともその何れかの情報であるから、不正アクセス者を欺くことが可能な情報としては適切なものとなる。
【００１６】
請求項５記載の発明によれば、上述した請求項１記載の発明と同様の効果を有するほか、所定の処理機能は、電話帳情報、スケジュール情報、データフォルダ情報、発信履歴情報、着信履歴情報のうち、少なくともその何れかの情報を管理するデータ管理機能であるから、セキュリティ対策を必要とするデータ管理機能に活用することができ、プライベートを保護するうえで有効なものとなる。
【００１７】
請求項６記載の発明によれば、上述した請求項１記載の発明と同様の効果を有するほか、正規なユーザであると判別された場合に、そのことをどのような方法で報知するかを示す報知方法を任意に設定可能としたから、例えば、アイコン表示、バイブレーション報知など、秘匿情報のアクセスが許可されたことをユーザの好みに合った方法で知ることができる。
【００１８】
請求項７記載の発明によれば、上述した請求項１記載の発明と同様の効果を有するほか、入力電源オン操作時あるいは所定時間毎に自動検出された生体情報をユーザ情報として取り込むようにしたから、ユーザに意識させることなく、生体情報を自動取得してユーザ認証を行うことが可能となる。
【発明を実施するための最良の形態】
【００１９】
以下、図１〜図７を参照して本発明の実施例を説明する。
この実施例は、秘匿情報の出力を制限するセキュリティ機能付き情報処理装置として携帯電話装置に適用した場合を例示したもので、図１は、セキュリティ機能付き携帯電話装置の基本的な構成要素を示したブロック図である。
この携帯電話装置は、例えば、２つの筐体（上部筐体、下部筐体）が開閉可能に取り付けられた折り畳み自在なもので、通話機能、メール機能、インターネット接続機能などが備えられている。この場合、電話帳（アドレス帳）情報、スケジュール帳情報、メールフォルダ情報、発信履歴情報、着信履歴情報などを管理するデータ管理機能も備えられている。
【００２０】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、映像、音声データの受送信機能などの機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図５〜図７に示す動作手順に応じて本実施例を実現するためのプログラムが格納されている。記録メディア３は、着脱自在な可搬型メモリで、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２１】
電話通信部５は、無線部、ベースバンド部、多重分離部などを備え、アンテナ５Ａに接続された送受信デュプレクサの受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信デュプレクサの送信側に与えられてアンテナ５Ａから発信出力させる。一方、電子メール機能、インターネット接続機能によって電話通信部５を介して受信取得した表示データは、表示制御部９を介してＬＣＤ（液晶表示装置）などを備えたメイン表示部１０に与えられて表示出力される。
【００２２】
メイン表示部１０は、文字情報、画像、各種のメッセージなどを高品位に表示し、サブ表示部１１は現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。報知部１３は、着信報知などの報知用のスピーカ、ＬＥＤ(発光ダイオード)、振動モータを備え、電話・メール着信時に駆動されて着信報知を行うほか、アラーム報知時にも駆動される。
【００２３】
図２は、折り畳み式の装置本体を開いた状態を示した図であり、キー操作部１２には、指紋センサＦＳ付きの電源ボタンＰＷが設けられている。
すなわち、電源ボタンＰＷのキートップ部分には指紋センサＦＳが接着固定されており、電源ＯＮ操作時にその操作者の親指の指紋パターンを自動検出するようにしている。この場合、ＣＰＵ１は、入力された指紋パターンと予め記憶部２に登録されている正規ユーザの指紋パターンとを比較することによってユーザ認証（本人確認）を行い、本人（正規なユーザ）であれば、実情報（秘匿情報）のアクセスを許可し、この実情報を読み出してメイン表示部１０に表示出力させる。その際、実情報のアクセスが許可されたことをユーザ本人に報知するようにしている。この本人報知の方法は予め当該ユーザが任意に選択設定した方法で行われるが、図２の例では、任意の図形（例えば、ハート型図形）のアイコン表示で本人報知が行われた状態を示している。
【００２４】
ここで、図３は、記憶部２にセットされる本人フラグＦＧ、本人報知の設定内容ＰＳを示した図である。
この本人フラグＦＧは、電源ＯＮ操作時に実行されるユーザ認証の結果、正規なユーザ（本人）であることを確認した場合にセットされるもので、電源ＯＦＦ操作時にリセットされる。本人報知の設定内容ＰＳは、ユーザ本人が予め任意に選択設定した本人報知時の報知方法であり、上述のようなアイコン表示のほか、振動モータの駆動によるバイブレーション報知、単一音を複数回発生させる断続音による報知などの中から任意に選択された報知方法が設定される。
【００２５】
図４は、アドレス帳・スケジュール帳・メールフォルダ・発信履歴・着信履歴などの各管理機能に対応して、その実情報が秘匿情報として記憶管理されている共にそのダミー情報が記憶管理されている状態において、電源ＯＮ時のユーザ認証の結果、第三者による操作の場合に、実情報（秘匿情報）に代わってそのダミー情報を表示出力させることを示した図である。
すなわち、記憶部２のデータ領域には、所定の処理機能の実情報として、電話帳（アドレス帳）情報、スケジュール帳情報、発信履歴情報、着信履歴情報、メールフォルダ情報（送信メール情報、受信メール情報）が記憶管理され、また、これらのダミー情報として、ダミーアドレス帳情報、ダミースケジュール帳情報、‥‥、ダミー受信メール情報が記憶管理されている。
【００２６】
ダミー情報は、正規なユーザによって任意に入力作成された情報、予め固定的に用意されていた標準的な情報、ランダム生成された情報、実情報を加工することによって生成された情報のうち、その何れかの情報であり、例えば、実情報が複数桁の数値列データ、文字列データであれば、ダミー情報も同一桁の数値列データ、文字列データによって構成され、実存しそうな氏名、得意先名、電話番号、メール番号、住所などをダミー情報としたり、本当らしい出張先名、会議名、日時などをダミー情報としている。ＣＰＵ１は、このダミー情報表示時に実情報とダミー情報との区別がつかないように実情報の表示フォーマットを使用して表示させるようにしている。
【００２７】
次に、この実施例における携帯電話装置の動作概念を図５〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２８】
図５〜図７は、電源投入に伴って実行開始される携帯電話装置の全体動作を示したフローチャートである。
先ず、ＣＰＵ１は、指紋センサＦＳ付き電源ボタンＰＷによる電源ＯＮ操作に応答してユーザ認証を行う。すなわち、この指紋センサＦＳによって自動検出された操作者の親指の指紋パターンを取得し（図５のステップＳ１）、この指紋パターンと予め記憶部２に登録されている正規ユーザの指紋パターンとを比較することによってユーザ認証（本人確認）を行い（ステップＳ２）、両指紋パターンの一致を検出した際には（ステップＳ３でＹＥＳ）、つまり、正規なユーザによる操作であると判別した際には、本人フラグＦＧをセットしておく（ステップＳ４）。
【００２９】
そして、ＣＰＵ1は、本人報知の設定内容ＰＳを参照してその設定有無を調べ（ステップＳ５）、本人報知の方法が設定されていれば、この設定内容にしたがった方法で本人報知を行ったのち（ステップＳ６）、所定の待受画像を表示出力させる待ち受け状態となる（ステップＳ７）。一方、上述のユーザ認証の結果、本人以外の第三者による電源ＯＮ操作を検出した場合（ステップＳ３でＮＯ）あるいは本人報知方法が未設定の場合には（ステップＳ５でＮＯ）、そのままステップＳ７に移って待ち受け状態となる。
この待ち受け状態において、ＣＰＵ１は、電話（通話）あるいはメールの発信・着信の有無をチェックしたり(ステップＳ８)、キー操作の有無をチェックする（ステップＳ１１）。ここで、電話あるいはメールの発信・着信を検出すると、発信・着信処理を実行したのち（ステップＳ９）、今回の発信履歴情報あるいは着信履歴情報を記録する処理を実行するが(ステップＳ１０)、何らかのキー操作を検出すると（ステップＳ１１でＹＥＳ）、図６あるいは図７のフローに移り、操作キーに応じた処理の実行に移る。
【００３０】
先ず、ＣＰＵ１は、任意の情報の設定を指示する設定操作が行われたかをチェックし（図６のステップＳ１２）、この設定操作が行われた場合には、本人フラグＦＧの有無を調べる（ステップＳ１３）。いま、電源ＯＮ操作時のユーザ認証の結果、その操作者が正規なユーザ（本人）であれば、本人フラグＦＧがセットされているので、ステップＳ１４に移り、上述した本人報知方法を設定するための本人報知メニューを含む全ての設定メニューを読み出して一覧表示させる（ステップＳ１４）。
【００３１】
このメニュー画面の中から任意にメニュー項目が選択指定されると（ステップＳ１５）、この選択メニューが「本人報知設定メニュー」であれば（ステップＳ１６でＹＥＳ）、本人報知方法を選択設定する処理に移る（ステップＳ１７）。この場合、本人報知の設定内容ＰＳには、アイコン表示による報知、振動モータの駆動によるバイブレーション報知、単一音を複数回発生させる断続音による報知などの中から任意に選択された報知方法が設定される。また、「本人報知設定メニュー」以外のメニューが選択された場合には（ステップＳ１６でＮＯ）、選択メニュー対応の設定処理の実行に移る（ステップＳ１８）。ここでは、例えば、アドレス帳あるいはスケジュール帳などにその実情報を入力して新規設定したり、電話帳、スケジュール帳、メールフォルダ、発信履歴、着信履歴などに対応してユーザ本人が任意に入力した情報などをダミー情報として設定する処理が行われるが、その際、実情報あるいはダミー情報の設定は、同一の設定フォーマットを使用して行うようにしている。
【００３２】
また、本人フラグＦＧがリセットされている場合（ステップＳ１３でＮＯ）、つまり、電源ＯＮ操作時のユーザ認証の結果、その操作者が本人以外の第三者である場合には、上述の本人報知メニューを含まない設定メニューを読み出して一覧表示させたのち（ステップＳ１９）、このメニュー画面から任意のメニュー項目が選択されると（ステップＳ２０）、この選択メニュー対応の設定処理を実行する処理に移るが、その際、電話帳、スケジュール帳、メールフォルダ、発信履歴、着信履歴などの選択メニューに対応して予め設定されているダミー用設定データを表示出力させた状態で（ステップＳ２１）、その設定処理が行われる（ステップＳ２２）。このようにユーザ本人と基本的には同様の設定処理を第三者に対しても許可するが、ダミーを使用する点がユーザ本人の場合と異なる。
【００３３】
一方、アドレス帳の呼び出しがユーザ操作によって指示された際には（ステップＳ２３でＹＥＳ）、本人フラグＦＧの有無を調べる（ステップＳ２４）。ここで、ユーザ本人が電源ＯＮ操作を行った場合には（ステップＳ２４でＹＥＳ）、正規なアドレス帳データ（実情報）を読み出して表示出力させたのち（ステップＳ２５）、操作待ち状態となる（ステップＳ２７）。ここで、何らかの操作が行われたときには、アドレス帳編集が指示されたかを調べ（ステップＳ２８でＹＥＳ）、編集指示を受けたときには、本人フラグＦＧがセットされていることを条件に（ステップＳ２９でＹＥＳ）、正規なアドレス帳データ（実情報）に対する編集処理が行われる（ステップＳ３０）。
【００３４】
また、ユーザ操作によって編集以外の処理が指示されると（ステップＳ２８でＮＯ）、ＣＰＵ１は、アドレス帳処理の終了を指示する終了操作が行われたかを調べ（ステップＳ３２）、通信相手先の電話番号／メール番号の呼び出しなどの指示操作であれば、この操作対応の処理の実行に移る（ステップＳ３３）。ここで、アドレス帳処理を終了させるために終了操作が行われると（ステップＳ３２でＹＥＳ）、図５のステップＳ７に戻り、待ち受け状態となる。
【００３５】
一方、第三者によるアドレス帳の呼び出しを受けたときには（ステップＳ２４でＮＯ）、ダミーアドレス帳データ（ダミー情報）を読み出して表示出力させたのち（ステップＳ２６）、操作待ち状態となる（ステップＳ２７）。ここで、アドレス帳編集が指示されると（ステップＳ２８でＹＥＳ）、上述と同様にステップＳ２９に進むが、この場合、本人フラグＦＧはリセットされているので、ダミーアドレス帳データ（ダミー情報）に対する編集処理が行われる（ステップＳ３１）。また、編集以外の処理が指示されたときには（ステップＳ２８でＮＯ）、ダミー情報に応じて操作対応処理が実行される（ステップＳ３３）。このように第三者に対しては、ユーザ本人と基本的には同様のアドレス帳処理が許可されるが、ダミーを使用する点がユーザ本人の場合と異なる。
【００３６】
他方、発信履歴情報あるいは着信履歴情報の呼び出しがユーザ操作によって指示された場合には（図７のステップＳ３４）、本人フラグＦＧの有無を調べ（ステップＳ３５）、電源ＯＮ時の操作者がユーザ本人であれば、正規な発信履歴あるいは着信履歴データ（実情報）を読み出して表示出力させたのち（ステップＳ３６）、操作待ち状態となる（ステップＳ３７）。ここで、ユーザ操作が行われると、履歴呼び出しの終了を指示する終了操作かを調べ（ステップＳ３８）、スクロール表示指示、次ページ切り替え指示などを受けた場合には（ステップＳ３８でＮＯ）、この操作対応処理の実行に移るが（ステップＳ３９）、終了指示を受けた場合には、図５のステップＳ７に戻り、待ち受け状態となる。
【００３７】
また、第三者による発信履歴／着信履歴情報の呼び出しの場合（ステップＳ３５でＮＯ）、ＣＰＵ１は、ダミー発信履歴あるいは着信履歴データ（ダミー情報）を読み出して表示出力させたのち（ステップＳ４０）、操作待ち状態となる（ステップＳ３７）。ここで、上述の場合と同様に、操作対応処理が実行可能となるが（ステップＳ３９）、第三者の場合には、ダミー情報を用いた処理となる。
【００３８】
メールフォルダ情報の呼び出しがユーザ操作によって指示されたときには（図７のステップＳ４１でＹＥＳ）、呼び出し対象として送信メールが指定されたのか、受信メールが指定されたのかを調べ（ステップＳ４２）、送信メールが指定されたときには、本人フラグＦＧの有無を調べ（ステップＳ４３）、その結果、電源ＯＮ時の操作者がユーザ本人であれば、正規な送信メールデータ（実情報）を読み出して表示出力させるが（ステップＳ４４）、第三者であれば、ダミー送信メールデータ（ダミー情報）を読み出して表示出力させる（ステップＳ４５）。同様に、受信メールが指定されたときには（ステップＳ４２でＮＯ）、本人フラグＦＧの有無を調べ（ステップＳ４６）、ユーザ本人であれば、正規な受信メールデータ（実情報）を読み出して表示出力させるが（ステップＳ４７）、第三者であれば、ダミー受信メールデータ（ダミー情報）を読み出して表示出力させる（ステップＳ４８）。
【００３９】
以下、操作待ち状態となり（ステップＳ４９）、何らかの操作が行われたときには、メールフォルダ情報の呼び出し終了を指示する終了操作が行われたかを調べる（ステップＳ５０）。この結果、終了以外の操作が行われた場合、例えば、印刷処理、編集処理、分類処理などを指定する操作であれば、この操作に対応する処理が実行される（ステップＳ５１）。この際、操作者が第三者であれば、ダミー情報に応じて操作対応処理が実行される。以下、終了指示を受けた場合には、図５のステップＳ７に戻り、待ち受け状態となる。
なお、上述のステップＳ４１でＮＯと判断された場合には、その他の処理としてスケジュール情報の呼び出し指示などの実行に移るが（ステップＳ５２）、この場合にも、ユーザ本人か第三者かに応じて実情報あるいはダミー情報に応じてスケジュール処理などが実行される。
【００４０】
以上のように、この実施例においてＣＰＵ１は、アドレス帳・スケジュール帳・メールフォルダ・発信履歴・着信履歴などの各管理機能に対応して、記憶部２内にその実情報が秘匿情報として記憶管理されていると共にそのダミー情報が記憶管理されている状態において、指紋センサＦＳ付きの電源ボタンＰＷが操作されると、この電源ＯＮ操作時に検出された操作者の指紋パターンと予め登録されている指紋パターンとを比較することによって正規なユーザ（本人）か否かを判別し、ユーザ本人であれば、当該処理機能対応の実情報を表示出力させ、第三者であれば、当該処理機能対応のダミー情報を表示出力させるようにしたから、ユーザ本人か第三者かに応じて秘匿情報の表示出力を制限したとしても、秘匿情報が存在していることすら第三者に分からないような状態で情報を表示出力することができ、逆説的に不正者を欺くことによって不正アクセス者によるセキュリティ破りを未然に防止することが可能となる。
【００４１】
ＣＰＵ１は、実情報あるいはダミー情報を表示出力させる際に、同一のフォーマットで表示出力するようにしたから、実情報とダミー情報との区別がつかないように表示させることができ、安全性を高めることが可能となる。この場合、実情報が複数桁の数値列データあるいは文字列データであれば、ダミー情報も同一桁の数値列あるいは文字列データで表示すればよい。
【００４２】
この場合、セキュリティ対策を必要とするアドレス帳・スケジュール帳・メールフォルダ・発信履歴・着信履歴などの各データ管理機能に活用することができ、プライベートを保護するうえで有効なものとなる。また、ＣＰＵ１は、処理機能の選択に応答してダミー情報が出力されている状態において、この処理機能の動作に応じて当該ダミー情報を処理するようにしたから、処理の実行中、実行後であっても安全性を高めることが可能となる。
【００４３】
実情報のアクセスが許可されたことをユーザ本人に報知するための本人報知の方法をその本人が任意に設定可能としたから、例えば、アイコン表示、バイブレーション報知など、秘匿情報のアクセスが許可されたことをユーザの好みに合った方法で知ることができる。
また、入力電源ＯＮ操作時に検出された指紋パターンをユーザ情報として取り込むようにしたから、ユーザに意識させることなくユーザ認証を行うことが可能となる。
【００４４】
なお、上述した実施例においては、ユーザ本人が任意に入力作成した情報をダミー情報としたが、これに限らず、例えば、予め固定的に用意されている標準的な情報あるいはランダムに生成された情報であってもよく、また、実情報を加工することによって生成された情報、更新以前の実情報（例えば、デフォルト値など）であってもよい。つまり、不正アクセス者を欺くことが可能な情報であればどのような情報であってもよい。
上述した実施例においては、操作者が第三者の場合のメニュー画面内には、本人報知メニューを除くようにしたが、この本人報知メニューに代わってダミーの本人報知メニューを表示するようにしてもよい。
【００４５】
上述した実施例においては、指紋パターンを検出することによってユーザ認証を行うようにしたが、ユーザの顔画像を撮影可能なカメラを備えた携帯電話装置にあっては、カメラ撮影したユーザの顔画像と予め登録されている顔画像とを比較することによってユーザ認証を行うようにしてもよい。更に、ユーザの眼球部分の撮影画像に基づいて虹彩認識を行うことによって本人確認を行うようにしてもよい。更に、指の静脈認識によって本人確認を行うようにしてもよい。
【００４６】
上述した実施例においては、電源ＯＮ時にユーザ認証を行うようにしたが、電源ＯＮ時時から所定時間が経過するごとに操作者をカメラ撮影したり、装置本体を把持している接触部分の指紋あるいは掌を検出するなど、所定時間毎にユーザ認証を繰り返して実行し、装置本体からユーザ本人が離れた場合（例えば、置き忘れた場合）に、実情報表示からダミー情報表示に切り替えるようにしてもよい。
【００４７】
上述した実施例においては、実情報、ダミー情報を表示する場合を例示したが、勿論、実情報、ダミー情報を音声出力、印刷出力、送信出力する場合でも同様であり、また、処理機能としては、アドレス帳情報、スケジュール帳情報、メールフォルダ情報、発信履歴情報、着信履歴情報を管理するデータ管理機能を例示したが、売り上げ管理機能などの処理機能であっても同様に適用可能である。その他、携帯電話装置に限らず、例えば、ＰＤＡ、電子カメラ、電子腕時計、音楽再生機などの携帯端末装置、パーソナルコンピュータなどにも同様に適用可能である。
【図面の簡単な説明】
【００４８】
【図１】セキュリティ機能付き情報処理装置として適用した携帯電話装置の基本的な構成要素を示したブロック図。
【図２】折り畳み式の装置本体を開いた状態を示した概略斜視図。
【図３】図３は、記憶部２にセットされる本人フラグＦＧ、本人報知の設定内容ＰＳを示した図。
【図４】アドレス帳・スケジュール帳・メールフォルダ・発信履歴・着信履歴などの各管理機能に対応して、その実情報が秘匿情報として記憶管理されている共にそのダミー情報が記憶管理されている状態において、電源ＯＮ時のユーザ認証の結果、第三者による操作の場合に、実情報（秘匿情報）に代わってそのダミー情報を表示出力させることを示した図。
【図５】電源投入に伴って実行開始される携帯電話装置の全体動作を示したフローチャート。
【図６】図５に続く、フローチャート。
【図７】図６に続く、フローチャート。
【符号の説明】
【００４９】
１  ＣＰＵ
２  記憶部
５  電話通信部
１０  メイン表示部
１２  キー操作部
１３  報知部
ＦＳ  指紋センサ
ＰＷ  電源ボタン
ＦＧ  本人フラグ
ＰＳ  本人報知の設定内容
【図１】
2007179343.tif 000003
【図２】
2007179343.tif 000004
【図３】
2007179343.tif 000005
【図４】
2007179343.tif 000006
【図５】
2007179343.tif 000007
【図６】
2007179343.tif 000008
【図７】
2007179343.tif 000009